(57)【要約】【課題】  操作部材の均一な照光が可能で、小型化が可能な入力装置を提供する。【解決手段】  ハウジング１と、ハウジング１に回転移動可能に保持された回動板１２と、回動板１２に装着され回転移動操作可能な操作部材１５と、操作部材１５の中央に設けられ昇降操作可能な押圧部材１８、１６ｂと、操作部材１５の回転移動操作を検出する第１の入力部と、押圧部材１８、１６ｂの昇降を検出する第２の入力部とを備え、押圧部材１８、１６ｂと第２の入力部との間には、押圧部材１８、１６ｂの下面に当接し押圧部材１８、１６ｂの昇降操作に伴って昇降して第２の入力部を駆動する駆動部材７を設け、駆動部材７の内部に押圧部材１８、１６ｂを照光する発光部材９を配置した。【選択図】        図１
2006252947.tif 000002
【特許請求の範囲】
【請求項１】
ハウジングと、このハウジングに回転移動可能に保持された回動板と、この回動板に装着され回転移動操作可能な操作部材と、この操作部材の中央に設けられ昇降操作可能な押圧部材と、前記操作部材の回転移動操作を検出する第１の入力部と、前記押圧部材の昇降を検出する第２の入力部とを備え、前記押圧部材と前記第２の入力部との間には、前記押圧部材の下面に当接し該押圧部材の昇降操作に伴って昇降して前記第２の入力部を駆動する駆動部材を設け、この駆動部材の内部に前記押圧部材を照光する発光部材を配置したことを特徴とする複合入力装置。
【請求項２】
前記押圧部材は、前記駆動部材と当接する当接面を含む全体が導光性を有する材料からなることを特徴とする請求項１記載の複合入力装置。
【請求項３】
前記押圧部材の下面には、前記発光部材からの光を前記押圧部材の操作面に向けて乱反射させる先細状の傾斜面を設けたことを特徴とする請求項１、又は２記載の複合入力装置。
【請求項４】
前記ハウジングには、前記駆動部材の昇降をガイドするガイド部材を設け、このガイド部材に前記発光部材が取り付けられた配線部材を支持させると共に、前記駆動部材には、前記配線部材の前記発光部材の取付部を収納する収納凹部を設け、この収納凹部の両側に一対の突条部を形成し、この一対の突条部の上面に前記押圧部材の下面との当接面を形成したことを特徴とする請求項１乃至３の何れかに記載の複合入力装置。
【請求項５】
前記配線部材は、可撓性を有するフレキシブル回路基板からなり、該配線部材を段差を有する階段状に形成し、この階段状の上段部に前記発光部材を保持すると共に、下段部に高さの異なる他の電気部品を保持したことを特徴とする請求項４記載の複合入力装置。
【請求項６】
前記第１の入力部は、前記操作部材の中央に設けられた前記押圧部材の中心軸を中心として、前記操作部材の周方向の回転移動を検出する回転検出スイッチからなることを特徴とする請求項１記載の複合入力装置。
【請求項７】
前記第１の入力部は、前記操作部材の中央に設けられた前記押圧部材の中心を基点として、前記操作部材の傾倒する方向への回転移動を検出する傾倒検出スイッチからなることを特徴とする請求項１記載の複合入力装置。
【請求項８】
前記第２の入力部は、前記操作部材の中央に設けられた前記押圧部材を押し込むことで前記押圧部材の昇降を検出するプッシュ検出スイッチからなることを特徴とする請求項１記載の複合入力装置。
【発明の詳細な説明】
【技術分野】
【０００１】
本発明は、複合入力装置に係り、特に操作つまみの回転検出と、操作つまみの押圧検出を行うプッシュスイッチを一体化した複合入力装置に関する。
【背景技術】
【０００２】
従来の複合入力装置の構造としては、回動可能で且つ複数の方向に揺動可能な操作部材と、この操作部材の回動操作を検出する回動検出手段及び揺動方向を検出する揺動方向検出手段と、操作部材の中央に設けられた押圧キーと、回動検出手段の中央に配設された押圧スイッチとが一体的に構成されたものが知られている（例えば、特許文献１参照）。
【０００３】
この従来の複合入力装置の構造を図７、図８に示す。図７は従来の複合入力装置の要部を示す断面図、図８はダイヤル操作部材の外観図を示す斜視図である。
【０００４】
図において、５１は中央に円形の開口部を備えた略リング状のダイヤル操作部材である。また、５２はダイヤル操作部材１の上記開口部に配置された別部材からなる押圧キーであり、電子機器のケースに設けられた開口部の略中央に配置された押圧スイッチ５８を操作するものである。５３はダイヤル操作部材５１の略外周位置に設けられた複数の被ガイド部たる凸部であり、この凸部５３が電子機器のケースに設けられた開口部の略外周位置に配置された突出部と非突出部とからなる複数のガイド部によってガイドされることによって、ダイヤル操作部材５１が４方向のみに揺動可能になされている。また、５４はダイヤル操作部５１に４分割して設けた照光部である。５５は操作子であり、ダイヤル操作部材５１の揺動方向に応じて、スイッチ（メタルドーム６１）を押圧して揺動方向を検出する。
【０００５】
５７は電子機器の筺体を構成するケースであり、このケース５７の略円形の開口部にダイヤル操作部材５１などが配置されている。また、押圧スイッチ５８の外周には、略リング状に構成されたロータリーエンコーダ５９が配置され、ロータリーエンコーダ５９の溝部にダイヤル操作部材の裏面に設けられたリブとが噛合いを形成し、ロータリーエンコーダ５９とダイヤル操作部材５１とは一体となって回動する。
【０００６】
ここで、押圧スイッチ５８の軸は押圧キー５２に嵌入されており、ダイヤル操作部材５１は、押圧スイッチ５８の背面部分とロータリーエンコーダ５９との間で所定の隙間を空けて回動自在に保持されている。このため、押圧キー５２は回動することなく押圧スイッチ５８を押圧操作可能で、ダイヤル操作部材５１は回動可能で、且つ傾倒可能となる。尚、このロータリーエンコーダ５９は、ダイヤル操作部材５１と接する外形部分が回動して内部の回路機構が検出を行うものである。そして、押圧スイッチ５８はロータリーエンコーダ５９の非回動部分に固定されている。
【０００７】
ダイヤル操作部材５１が、押圧された位置に応じて揺動することにより、その一つの操作子５５がメタルドーム６１から構成されたスイッチの一つを押圧して誘導方向の検出が行われる。また、６０は発光部たるＬＥＤであり、ダイヤル操作部材５１の設けられた４分割の照光部５４に対応して４個配置されている。このＬＥＤ６０はダイヤル操作部材５１の回動位置に応じて、または揺動方向に応じて特定の一つが点灯などを行うものである。
【０００８】
また、４個のＬＥＤ６０を常時点灯しておき、ダイヤル操作部材５１の回動位置に応じて、または揺動方向に応じてこのうちの１つを明るく点灯させるようにしてもよい。また、ＬＥＤを２色表示可能として、ダイヤル操作部材５１の回動操作と揺動操作に応じて表示形態を変えるようにしてもよい。これらの表示によって、ダイヤル操作部の回動操作が行われたことや揺動操作が行われたことを操作者に識別させることができる。
【０００９】
【特許文献１】特開２００３−１３４２１１号公報
【発明の開示】
【発明が解決しようとする課題】
【００１０】
しかしながら、上述した従来の複合入力装置においては、ダイヤル操作部材の中央に設けられた押圧スイッチ用の押圧キーをＬＥＤで照光させたいという要望があるが、ＬＥＤを押圧操作する押圧キーの真下に配置できないため、入力装置の側方に個別に組み込む配置としていた。そのため、照光が不均一になるうえ、照光部を含んだ装置全体の小型化ができないという問題があった。
【００１１】
従って、本発明は上記した問題点を解決し、操作部材の均一な照光が可能で、小型化が可能な入力装置を提供することを目的とする。
【課題を解決するための手段】
【００１２】
上記課題を解決するために本発明では第１の解決手段として、ハウジングと、このハウジングに回転移動可能に保持された回動板と、この回動板に装着され回転移動操作可能な操作部材と、この操作部材の中央に設けられ昇降操作可能な押圧部材と、前記操作部材の回転移動操作を検出する第１の入力部と、前記押圧部材の昇降を検出する第２の入力部とを備え、前記押圧部材と前記第２の入力部との間には、前記押圧部材の下面に当接し該押圧部材の昇降操作に伴って昇降して前記第２の入力部を駆動する駆動部材を設け、この駆動部材の内部に前記押圧部材を照光する発光部材を配置した構成とした。
【００１３】
また、第２の解決手段として、前記押圧部材は、前記駆動部材と当接する当接面を含む全体が導光性を有する材料からなる構成とした。
また、第３の解決手段として、前記押圧部材の下面には、前記発光部材からの光を前記押圧部材の操作面に向けて乱反射させる先細状の傾斜面を設けた構成とした。
また、第４の解決手段として、前記ハウジングには、前記駆動部材の昇降をガイドするガイド部材を設け、このガイド部材に前記発光部材が取り付けられた配線部材を支持させると共に、前記駆動部材には、前記配線部材の前記発光部材の取付部を収納する収納凹部を設け、この収納凹部の両側に一対の突条部を形成し、この一対の突条部の上面に前記押圧部材の下面との当接面を形成した構成とした。
また、第５の解決手段として、前記配線部材は、可撓性を有するフレキシブル回路基板からなり、該配線部材を段差を有する階段状に形成し、この階段状の上段部に前記発光部材を保持すると共に、下段部に高さの異なる他の電気部品を保持した構成とした。
【００１４】
また、第６の解決手段として、前記第１の入力部は、前記操作部材の中央に設けられた前記押圧部材の中心軸を中心として、前記操作部材の周方向の回転移動を検出する回転検出スイッチからなる構成とした。
また、第７の解決手段として、前記第１の入力部は、前記操作部材の中央に設けられた前記押圧部材の中心を基点として、前記操作部材の傾倒する方向への回転移動を検出する傾倒検出スイッチからなる構成とした。
また、第８の解決手段として、前記第２の入力部は、前記操作部材の中央に設けられた前記押圧部材を押し込むことで前記押圧部材の昇降を検出するプッシュ検出スイッチからなる構成とした。
【発明の効果】
【００１５】
上述したように、本発明の複合入力装置は、ハウジングと、ハウジングに回転移動可能に保持された回動板と、回動板に装着され回転移動操作可能な操作部材と、操作部材の中央に設けられ昇降操作可能な押圧部材と、操作部材の回転移動操作を検出する第１の入力部と、押圧部材の昇降を検出する第２の入力部とを備え、押圧部材と第２の入力部との間には、押圧部材の下面に当接し押圧部材の昇降操作に伴って昇降して第２の入力部を駆動する駆動部材を設け、駆動部材の内部に押圧部材を照光する発光部材を配置したことから、操作部材の押圧部材と第２の入力部との間に操作部材を回転移動操作可能に支持し且つ昇降可能な駆動部材を設け、この駆動部材内に発光部材を配置したので、昇降する押圧部材の真下に発光部材を配置でき、均一な照光が可能となる。また、発光部材を入力装置と一体化でき、電子機器への組み込みが容易になると共に、装置全体の設置面積を小型化できる。
【００１６】
また、押圧部材は、駆動部材と当接する当接面を含む全体が導光性を有する材料からなることから、発光部材からの光を効率良く取り込んで操作面に入射させることができる。
また、押圧部材の下面には、発光部材からの光を押圧部材の操作面に向けて乱反射させる先細状の傾斜面を設けたことから、押圧部材の上面に設けた操作面に向けて乱反射させて入射させることができるので、より明るく均一な照光ができる。
また、ハウジングには、駆動部材の昇降をガイドするガイド部材を設け、ガイド部材に発光部材が取り付けられた配線部材を支持させると共に、駆動部材には、配線部材の発光部材の取付部を収納する収納凹部を設け、収納凹部の両側に一対の突条部を形成し、一対の突条部の上面に押圧部材の下面との当接面を形成したことから、押圧部材の下面との当接面を配線部材の発光部材の取付部を収納する収納凹部の両側の突条部の上面に形成したので、操作部材の回転移動操作時や押圧部材の押圧操作時に、配線部材にストレスが加わることがなく、高い信頼性が得られる。
また、配線部材は、可撓性を有するフレキシブル回路基板からなり、配線部材を段差を有する階段状に形成し、階段状の上段部に発光部材を保持すると共に、下段部に高さの異なる他の電気部品を保持したことから、発光部材を押圧部材の下面に近づけることができるので、効率良く照光できると共に、配線部材上に自由に電気部品を搭載でき、設計の自由度が向上する。
【００１７】
また、第１の入力部は、操作部材の中央に設けられた押圧部材の中心軸を中心として、操作部材の周方向の回転移動を検出する回転検出スイッチからなることから、簡単な構成で操作部材の軸周りの回転検出が行えると共に、押圧部材の昇降操作と合わせた複合入力が可能となる。
また、第１の入力部は、操作部材の中央に設けられた押圧部材の中心を基点として、操作部材の傾倒する方向への回転移動を検出する傾倒検出スイッチからなることから、簡単な構成で操作部材の傾倒方向の検出が行えると共に、押圧部材の昇降操作と合わせた複合入力が可能となる。
また、第２の入力部は、操作部材の中央に設けられた押圧部材を押し込むことで押圧部材の昇降を検出するプッシュ検出スイッチからなることから、簡単な構成で押圧部材の昇降検出が行えると共に、操作部材の回転移動操作と合わせた複合入力が可能となる。
【発明を実施するための最良の形態】
【００１８】
以下、本発明の実施の形態を図１乃至図６に示す。図１は本発明の複合入力装置を示す分解斜視図、図２は本発明の複合入力装置を示す平面図、図３は図２の３−３線における断面図、図４は図２の４−４線における断面図、図５は本発明の複合入力装置の操作部材とガイド部材を除いた状態を示す平面図、図６は同じく操作部材とガイド部材を除いた状態を示す斜視図である。
【００１９】
図において、ハウジング１は、合成樹脂等の絶縁材からなり、略方形状に形成されている。このハウジング１には、上面が開口された大径で略円形からなる第１の収納部１ａが設けられており、さらに中央には、環状の突条部１ｃで囲まれた小径で円形からなる第２の収納部１ｂが設けられている。また、第１の収納部１ａの内底面には、略同心円上に複数（本実施例では３個）の矩形状の切溝１ｄが設けられており、この切溝１ｄには、弾性を有する導電性の薄板金属板からなる摺動子２が接点部２ａを第１の収納部１ａ内に突出した状態で配設されている。
【００２０】
前記摺動子２は、ハウジング１の内底部にインサート成形等の方法で一体に埋設されており、自由端側の接点部２ａが弾性を有した状態で切溝１ｄ内に配設されており、その他端側は、ハウジング１の一対の側面部から外方へ導出されて外部の回路パターンと接続される複数の接続端子２ｂを形成している。この摺動子２が回転検出スイッチの一部を構成している。
【００２１】
また、第２の収納部１ｂの内底面には、環状の突条部１ｃの内側で対向する位置に突出した一対の段部１ｅが形成されており、また、この段部１ｅと直交する方向の一端側には、ハウジングの底面側に貫通する貫通孔１ｆが設けられている。また、第２の収納部１ｂの中央には、導電性の金属板からなる中央固定接点３ａと、この中央固定接点３ａと一定の隙間を有して離間して設けられた周辺固定接点３ｂとからなる固定接点３が第２の収納部１ｂ内に表出した状態で配設されている。
【００２２】
前記固定接点３は、同じくハウジング１の内底部にインサート成形等の方法で一体に埋設されており、一端側の接点部である中央固定接点３ａと周辺固定接点３ｂが第２の収納部１ｂ内に表出して配設されており、その他端側は、ハウジング１の底面側に設けられた開口部１ｇから外方へ導出されて外部の回路パターンと接続される一対の外部端子３ｃ、３ｄを形成している。この中央固定接点３ａと周辺固定接点３ｂとがプッシュ検出スイッチの一部を構成している。
【００２３】
また、前記ハウジング１の上面側の四角部のうち、対向する一対の角部には、前記第１の収納部１ａに連通する凹溝からなる、ばね収納部１ｈが設けられている。このばね収納部１ｈに、後述する回転板１２のカム部１２ｄと摺動することによりクリックを生起させる、弾性を有する金属板からなるクリックばね４が収納されている。
【００２４】
前記第２の収納部１ｂには、前記中央固定接点３ａと周辺固定接点３ｂの上面側に可動接点５が配設されている。この可動接点５は、弾性を有する導電性の薄板金属板からなり、中央に反転可能なドーム状の膨出部が設けられている。本実施例では、この可動接点５を２枚重ねることにより、反転時のクリック感触が良好（重厚）となるように構成している。この可動接点５は、外周縁部が周辺固定接点３ｂに接触した状態で載置され、膨出部下面が中央固定接点３ａと離間した状態で対向して配置されている。また、可動接点５の上面側には、フィルム状の樹脂シートからなる保護シート６が設けられている。
【００２５】
また、第２の収納部１ｂには、可動接点５を押圧駆動する駆動部材７と、ＬＥＤ等の発光部材９が取り付けられた配線部材８が収容されており、配線部材８の上面側には、駆動部材７と配線部材８を保持及びガイドするガイド部材１０が設けられている。駆動部材７は、合成樹脂等の絶縁材からなり、円形をしており、上面側には配線部材８の発光部材９の取付部を収納する収納凹部７ａを有し、この収納凹部７ａの両側に一対の突条部７ｂが形成されている。また、下面側には、前記保護シート６を介して可動接点５の膨出部頂部と当接する駆動突起７ｃが設けられている。
【００２６】
配線部材８は、可撓性を有するフィルム状のポリイミド樹脂等からなるＦＰＣ（フレキシブル回路基板）で、円環状の桟部８ａと、その中央に橋状に架け渡された発光部材９の取付部８ｂと、桟部８ａの一側部から延設されたリード片部８ｃとを有している。また、円環状の桟部８ａには取付部８ｂとの連結部近傍に段差部８ｄが設けられており、この段差部８ｄを設けることにより、桟部８ａと取付部８ｂとが段差を有する階段状に形成されている。そして、この階段状の上段部である取付部８ｂに前記発光部材９が保持されると共に、下段部に高さの異なる他の電気部品９ａ（例えば、ＬＥＤよりも高さの大きいＬＥＤ保護用のバリスタ等）が保持されている。
【００２７】
このように、前記配線部材８は、可撓性を有するフレキシブル回路基板からなり、この配線部材８を段差を有する階段状に形成して、階段状の上段部に前記発光部材９を保持すると共に、下段部に高さの異なる他の電気部品（バリスタ等）を保持するようにしたので、発光部材９を後述する操作部材１５の押圧部材の下面に近づけることができるので、効率良く照光できると共に、段差を利用して配線部材８上に自由に電気部品を搭載でき、設計の自由度が向上するものとなっている。
【００２８】
前記配線部材８は、リード片部８ｃが前記第２の収納部１ｂの内底面に設けられた貫通孔１ｆに挿通されると共に、取付部８ｂが前記駆動部材７の収納凹部７ａに収納された状態で第２の収納部１ｂ内の一対の段部１ｅ上に載置されている。そして、この配線部材８の上面側に、ガイド部材１０が装着されることにより第２の収納部１ｂに保持されている。また、リード片部８ｃの自由端側が、ハウジング１の底面部を介してハウジング１の一側面部から外方へ延設されており、外部との接続リード部８ｅを形成している。また、ハウジング１の底面部には、リード片部８ｃを覆うように樹脂シート等からなる粘着性のカバーシート１１が貼着されている。
【００２９】
ガイド部材１０は、合成樹脂等の絶縁材からなり、円形の挿通孔１０ｂを有する円環状の基部１０ａと、この基部１０ａの下方に延設された複数のフック脚１０ｃとを有している。このガイド部材１０は、前記第２の収納部１ｂ内に収納され、前記フック脚１０ｃが内底面に設けられた複数の係合部（図示せず）に係合されて保持されている。この時、円環状の基部１０ａの下面側と第２の収納部１ｂの段部１ｅとの間に前記配線部材８が挟持されて保持されると共に、円形の挿通孔１０ｂ内に前記駆動部材７が昇降可能にガイドされて保持されている。
【００３０】
そして、駆動部材７が挿通孔１０ｂ内を昇降移動することにより駆動突起７ｃが可動接点５の膨出部を押圧して反転させることで中央固定接点３ａと周辺固定接点３ｂからなる固定接点３と接離させるものとなっている。そして、この可動接点５と固定接点３により、後述する操作部材１５中央に設けられた押圧部材の昇降を検出する第２の入力部であるプッシュ検出スイッチを構成している。
【００３１】
また、前記第１の収納部１ａには、円板状の回転板１２が回転可能に収納されている。この回転板１２は、合成樹脂等の絶縁材で円板状に形成され、基板部１２ａの中央には大径で円状の軸孔１２ｂが設けられている。また、基板部１２ａの上面には、上方へ突出した複数の係合突起１２ｃが設けられており、また、基板部１２ａの外周側面部には、環状に連続した複数の凹凸状のカム部１２ｄが設けられている。また、基板部１２ａには、導電性の金属板がインサート成形等の方法で一体に埋設されており、この金属板の一部がその下面側に表出され同心円上に並設された複数のコードパターン１３が形成されている。
【００３２】
前記回転板１２は、前記第１の収納部１ａの中央に設けられた環状の突条部１ｃに軸孔１２ｂが挿通されて、この突条部１ｃを軸として回転可能に収納されると共に、基板部１２ａの外周側面部に設けられた凹凸状のカム部１２ｄが、ハウジング１のばね収納部１ｈに収納されたクリックばね４と摺動して回転する際のクリック感触が得られるものとなっている。また、これと同時に回転板１２の下面側に表出して設けられた複数のコードパターン１３が、前記第１の収納部１ａの内底面に同心円上に突出して配設された複数の前記摺動子２の接点部２ａと摺接するものとなっている。そして、この回転板１２のコードパターン１３と摺動子２により、後述する操作部材１５の回転移動操作を検出する第１の入力部である回転検出スイッチを構成している。
【００３３】
フレーム板１４は、方形状の金属平板からなり、中央には大径で円状の挿通孔１４ａが設けられている。また四辺部には、下方へ延出する取付片１４ｂが設けられている。このフレーム板１４は、前記ハウジング１の第１の収納部１ａ内に前記回転板１２を回転可能に収納した状態でハウジング１の上面側に載置され、前記取付片１４ｂの先端を前記ハウジング１の底面側に折り曲げることにより前記ハウジング１の上面側に取り付けられている。この時、フレーム板１４の挿通孔１４ａからは、前記回転板１２の係合突起１２ｃが突出した状態で配設されている。
【００３４】
操作部材１５は、前記回転板１２の係合突起１２ｃに係合され、フレーム１４の挿通孔１４ａに挿通されてハウジング１の上面側に回転及び昇降可能に配設されている。この操作部材１５は、基台部を構成する円盤状の第１つまみ１６と、この第１つまみ１６の上面側に貼着される円環状の第２つまみ１７と、この第２つまみ１７の中央に昇降可能に配置される第３つまみ１８とから一体的に構成されている。
【００３５】
前記第１つまみ１６は、２種類の合成樹脂からなる成形材料を一体に２色成形して形成されている。すなわち、円環状の基部１６ａと、この基部１６ａの中央に基部１６ａとは離間して配置された可動部１６ｂとが、導光性を有する第１の合成樹脂（例えば、ポリカーボネイト樹脂等）で形成され、この基部１６ａと可動部１６ｂとが、可撓性を有する第２の合成樹脂（例えば、ハイトレル樹脂等）で形成された中間部１６ｃで連結されて一体に成形されている。そして、可動部１６ｂは、中間部１６ｃが有する可撓性により、基部１６ａの中央で上下に移動可能となっている。また、前記第２の合成樹脂は非導光性であり、中間部１６ｃは基部１６ａの上面及び側面を覆うように一体成形されている。
【００３６】
また、第１つまみ１６の基部１６ａには、前記回転板１２の係合突起１２ｃと係合する複数の係合孔１６ｄが形成されている。そして、この係合孔１６ｄにより第１つまみ１６が回転板１２に係合されることにより、前記操作部材１５の回転操作に伴って回転板１２が共に回転するものとなっている。
また、第１つまみ１６の可動部１６ｂの下面には、上方に向かって先細状の凹状に窪んだ傾斜面１６ｅが設けられている。この傾斜面１６ｅを設けることにより、前記発光部材９からの光を押圧部材を構成する第３つまみ１８の操作面に向けて乱反射させるようになっている。
【００３７】
前記第２つまみ１７は、同じく導光性の合成樹脂で平板状の円環状に形成されており、中央には円状の挿通孔１７ａを有している。そして、この挿通孔１７ａに、前記第１つまみ１６の可動部１６ｂを臨む状態で、第１つまみ１６の中間部１６ｃの上面側に粘着シート１９によって貼着されて一体化されている。
【００３８】
前記第３つまみ１８は、同じく導光性の合成樹脂からなり、中央がやや上方に膨出した円形状の押圧部１８ａと、この押圧部１８ａの下面側に設けられた鍔部１８ｂとを有している。この第３つまみ１８は、押圧部１８ａが前記第２つまみ１７の挿通孔１７ａに挿入されて鍔部１８ｂが第２つまみ１７の下面側に係止された状態で、前記第１つまみ１６の可動部１６ｂ上面側に粘着シート２０によって貼着されて一体化されている。尚、この場合には、粘着シート２０は導光性のシート材で形成されており、発光部材９からの光を、第１つまみ１６の可動部１６ｂを介して第３つまみ１８の押圧部１８ａ表面に導くようになっている。
【００３９】
そして、前記第３つまみ１８は、前記第１つまみ１６の可動部１６ｂと共に上下に移動可能となっており、前記第２つまみ１７の挿通孔１７ａ内を上下に移動（昇降）可能であり、この第１つまみ１６の可動部１６ｂと、第３つまみ１８とにより、操作部材１５の中央に昇降操作可能となる押圧部材が構成されている。
【００４０】
この操作部材１５は、前記回転板１２の係合突起１２ｃに係合され、フレーム１４の挿通孔１４ａに挿通されてハウジング１の上面側に回転及び昇降可能に配設されるものとなっており、また、この時、中央に設けられた押圧部材である第３つまみ１８及び第１つまみ１６の可動部１６ｂの下方には、前記ハウジング１の第２収納部１ｂに配設された前記駆動部材７が配置されている。
そして、この駆動部材７の発光部材９が収納された収納凹部７ａの両側の一対の突条部７ｂの上面と、第１つまみ１６の可動部１６ｂの下面とが当接した状態となっており、押圧部材を構成する第３つまみ１８の押圧部１８ａが押圧操作されることにより、前記可動部１６ｂが駆動部材７を押圧し、駆動突起７ｃが下面側に配設された可動接点５を押圧して反転させるものとなっている。
【００４１】
上記実施例では、前記ハウジング１に、前記駆動部材７の昇降をガイドする前記ガイド部材１０を設け、このガイド部材１０に前記発光部材９が取り付けられた前記配線部材８を支持させると共に、前記駆動部材７に、前記配線部材８の発光部材９の取付部８ｂを収納する収納凹部７ａを設け、この収納凹部７ａの両側に一対の突条部７ｂを形成して、この一対の突条部７ｂの上面に前記第１つまみ１６の可動部１６ｂの下面との当接面を形成したので、押圧部材の下面との当接面を前記配線部材８の発光部材９の取付部８ｂを収納する前記収納凹部７ａの両側の突条部７ｂの上面に形成したため、操作部材１５の回転移動操作時や押圧部材の押圧操作時に、前記配線部材８にストレスが加わることがなく、高い信頼性が得られるものとなっている。
【００４２】
また、この時、第１つまみ１６の可動部１６ｂの下面に設けられた前記傾斜面１６ｅと、駆動部材７の収納凹部７ａに収納された発光部材９とが対向した状態で配置されており、発光部材９から照射された光を、この傾斜面で乱反射させることにより、可動部１６ｂを介して第３つまみ１８の押圧部１８ａ表面の操作面を明るく均一に照光させることができるものとなっている。
また、押圧部材は、駆動部材７と当接する当接面を含む全体が導光性を有する材料から形成されていることから、発光部材９からの光を効率良く取り込んで操作面に入射させることができるものとなっている。
【００４３】
尚、上記実施例では、操作部材１５の回転移動操作を検出する第１の入力部の構成として、ハウジング１の第１の収納部１ａ内に周方向に回転可能に回転板１２を配設し、この回転板１２に設けられたコードパターン１３と、第１の収納部１ａ内底面に設けられた摺動子２との摺接により回転検出スイッチを構成するようにしたが、これとは別に図示はしないが、前記回転板１２に代えてハウジング１の第１の収納部１ａ内に径方向に傾倒可能に回動板を配設し、第１の収納部１ａ内にこの回動板が傾倒することにより駆動されるスイッチを配設して、操作部材１５の傾倒する方向への回転移動を検出する傾倒検出スイッチから第１の入力部を構成するようにしても良い。
【００４４】
上記した本発明の実施例によれば、前記操作部材１５の回転移動操作を検出する第１の入力部と、前記押圧部材の昇降を検出する第２の入力部とを有し、前記操作部材１５の中央に設けられた前記押圧部材を構成する第１つまみ１６の可動部１６ｂと、前記第２の入力部を構成するプッシュ検出スイッチとの間に、前記可動部１６ｂの下面に当接し前記第１のつまみ１６の昇降操作に伴って昇降して前記第２の入力部を駆動する前記駆動部材７を設けて、この駆動部材７の内部に前記押圧部材を構成する第３つまみ１８の操作面を照光する前記発光部材９を配置するようにしたので、操作部材１５の第１つまみ１６の可動部１６ｂと第２の入力部との間に操作部材１５を回転移動操作可能に支持し、且つ昇降可能な駆動部材７を設けて、この駆動部材７内に発光部材９を配置したので、昇降する押圧部材（第３つまみ１８及び第１つまみ１６の可動部１６ｂ）の真下に発光部材９を配置でき、均一な照光が可能となっている。
また、発光部材９を入力装置と一体化でき、電子機器への組み込みが容易になると共に、装置全体の設置面積を小型化できるものとなっている。
【００４５】
また、第１の入力部を、前記操作部材１５の中央に設けられた押圧部材の中心軸を中心として、この操作部材１５の周方向の回転移動を検出する回転検出スイッチから構成すると共に、第２の入力部を、前記操作部材１５の中央に設けられた押圧部材を押し込むことで押圧部材の昇降を検出するプッシュ検出スイッチから構成したので、簡単な構成で操作部材１５の軸周りの回転検出と押圧部材の昇降検出が行える複合入力が可能となっている。
また、これに代えて第１の入力部を、操作部材１５の中央に設けられた押圧部材の中心を基点として、操作部材１５の傾倒する方向への回転移動を検出する傾倒検出スイッチで構成すれば、簡単な構成で操作部材１５の傾倒方向の検出が行えると共に、押圧部材の昇降操作と合わせた複合入力が可能となる。
【図面の簡単な説明】
【００４６】
【図１】本発明の複合入力装置を示す分解斜視図である。
【図２】本発明の複合入力装置を示す平面図である。
【図３】本発明の図２の３−３線における断面図である。
【図４】本発明の図２の４−４線における断面図である。
【図５】本発明の複合入力装置の操作部材とガイド部材を除いた状態を示す平面図である。
【図６】本発明の複合入力装置の操作部材とガイド部材を除いた状態を示す斜視図である。
【図７】従来の複合入力装置の要部を示す断面図である。
【図８】従来のダイヤル操作部材の外観図を示す斜視図である。
【符号の説明】
【００４７】
１：ハウジング
１ａ：第１の収納部
１ｂ：第２の収納部
１ｃ：突条部
１ｄ：切溝
１ｅ：段部
１ｆ：貫通孔
１ｇ：開口部
１ｈ：ばね収納部
２：摺動子（第１の入力部）
２ａ：接点部
２ｂ：接続端子
３：固定接点（第２の入力部）
３ａ：中央固定接点
３ｂ：周辺固定接点
３ｃ：外部端子
３ｄ：外部端子
４：クリックばね
５：可動接点（第２の入力部）
６：保護シート
７：駆動部材
７ａ：納入凹部
７ｂ：突条部
７ｃ：駆動突起
８：配線部材
８ａ：桟部
８ｂ：取付部
８ｃ：リード片部
８ｄ：段差部
８ｅ：接続リード部
９：発光部材
１０：ガイド部材
１０ａ：基部
１０ｂ：挿通孔
１０ｃ：フック脚
１１：カバーシート
１２：回転板（回動板）
１２ａ：基板部
１２ｂ：軸孔
１２ｃ：係合突起
１２ｄ：カム部
１３：コードパターン（第１の入力部）
１４：フレーム板
１４ａ：挿通孔
１４ｂ：取付片
１５：操作部材
１６：第１つまみ
１６ａ：基部
１６ｂ：可動部（押圧部材）
１６ｃ：中間部
１６ｄ：係合孔
１６ｅ：傾斜面
１７：第２つまみ
１７ａ：挿通孔
１８：第３つまみ（押圧部材）
１８ａ：押圧部
１８ｂ：鍔部
１９：粘着シート
２０：粘着シート
【図１】
2006252947.tif 000003
【図２】
2006252947.tif 000004
【図３】
2006252947.tif 000005
【図４】
2006252947.tif 000006
【図５】
2006252947.tif 000007
【図６】
2006252947.tif 000008
【図７】
2006252947.tif 000009
【図８】
2006252947.tif 000010